(57)【特許請求の範囲】
【請求項１】
ペーストを押圧するペースト押圧部と自己を外部と固定するスキージ固定部とを有するスキージに付着した上記ペーストを除去するペースト除去装置であって、
外周面が上記ペーストに接触するワイヤを有し、スキージに付着したペーストを除去する除去部と、
所定の軌跡を辿りながら上記除去部を移動させる駆動部と
を備えたことを特徴とするスクリーン印刷機のペースト除去装置。
【請求項２】
上記駆動部は、上記自己を外部と固定するスキージ固定部側からペーストを押圧するペースト押圧部側に向かって１直線上に納まらない所定の軌跡を辿りながら上記除去部を移動させる
ことを特徴とする請求項１記載のスクリーン印刷機のペースト除去装置。
【請求項３】
上記駆動部は、
所定の方向に上記除去部を移動させる第１のスライダと、
上記第１のスライダと共に上記所定の方向に移動し、上記第１のスライダにより移動させられる所定の方向と直交する方向に上記除去部を移動させる第２のスライダと
を有することを特徴とする請求項１記載のスクリーン印刷機のペースト除去装置。
【請求項４】
上記駆動部は、さらに、
なだらかな線を形成するカム部と、
上記カム部と接し、上記なだらかな線に沿って上記カム部を移動させる受け部と、
上記カム部を上記受け部に接触させる押圧部と
を有することを特徴とする請求項３記載のスクリーン印刷機のペースト除去装置。
【請求項５】
上記カム部は、上記第１のスライダと共に移動し、
上記第２のスライダは、上記カム部の移動に基づいて、上記所定の方向と直交する方向に移動することを特徴とする請求項４記載のスクリーン印刷機のペースト除去装置。
【請求項６】
上記押圧部は、弾性力により上記カム部を移動させるばね材を有することを特徴とする請求項４記載のスクリーン印刷機のペースト除去装置。
【請求項７】
上記受け部は、上記なだらかな線上を転動するローラを有することを特徴とする請求項４記載のスクリーン印刷機のペースト除去装置。
【請求項８】
上記駆動部は、さらに、上記第１のスライダを移動させるシリンダを有することを特徴とする請求項３記載のスクリーン印刷機のペースト除去装置。
【請求項９】
上記除去部は、さらに、上記スキージを挟むように上記カム部に固定され、上記ワイヤを保持するワイヤ保持部を有することを特徴とする請求項４記載のスクリーン印刷機のペースト除去装置。
【請求項１０】
上記除去部は、上記スキージと非接触に移動することを特徴とする請求項１記載のスクリーン印刷機のペースト除去装置。
【請求項１１】
上記スキージは、移動しながらスクリーン印刷をおこない、
上記ペースト除去装置は、上記スキージと共に保持され、上記スキージと共に移動することを特徴とする請求項１記載のスクリーン印刷機のペースト除去装置。
【請求項１２】
ペーストを押圧するペースト押圧部と自己を外部と固定するスキージ固定部とを有するスキージとを用いてスクリーン印刷をおこなうスクリーン印刷機であって、
上記スキージが有する上記自己を外部と固定するスキージ固定部を固定する装置固定部と、
上記装置固定部に固定されたスキージに有する上記スクリーン印刷の際に付着したペーストを、ワイヤの外周面を上記ペーストに接触させて除去する除去部と、
所定の軌跡を辿りながら上記除去部を移動させる駆動部と
を備えたことを特徴とするスクリーン印刷機。
【発明の詳細な説明】
【０００１】
【発明の属する技術分野】
本発明は、スキージとペーストとを用いてスクリーン印刷をおこなうスクリーン印刷機に関する。また、スキージに付着したペーストを除去するペースト除去装置に関する。
【０００２】
【従来の技術】
図９は、従来のスクリーン印刷状態を示す図である。
図９において、１は、スクリーン版、２は、版枠、３は、スクリーン製版、４は、ワーク、５は、ペースト（インク）、６は、テーブル、１０は、スキージである。スクリーン製版３は、スクリーン版１と版枠２とを備えている。
ワーク４は、印刷面を上面にしてテーブル６の上に配置される。スクリーン製版３は、ワーク４の上方に配置される。
スキージ１０は、スクリーン版１を押圧しながらペースト５をワーク４側に押込みながらスクリーン版１上を印刷方向に移動することによりスクリーン印刷をおこなう。
図１０は、従来のスクリーン印刷終了後の状態を示す図である。
図１０において、構成は、図９と同様である。
スクリーン印刷が終了すると、スクリーン印刷機は、スキージ１０を上昇させ、スクリーン版１から離す。この際、スキージ１０の表面には、ペースト５が付着している。
【０００３】
【発明が解決しようとする課題】
従来、スキージ１０に付着したペースト５が垂れるといった問題があった。
また、上記スキージ１０に付着したペースト５は、へら等を用いて手作業により取り除かれていた。これにより、そのための時間と労力が必要となるといった問題があった。
【０００４】
本発明は、スキージ１０に付着したペースト５を除去することを目的とする。
【０００５】
本発明は、自動操作によりスキージ１０に付着したペースト５を除去し、時間と労力とを軽減することを目的とする。
【０００６】
本発明は、コンパクトなペースト除去装置を提供することを目的とする。
【０００７】
【課題を解決するための手段】
この発明に係るペースト除去装置は、ペーストを押圧するペースト押圧部と自己を外部と固定するスキージ固定部とを有するスキージに付着した上記ペーストを除去するペースト除去装置であって、
スキージに付着したペーストを除去する除去部と、
上記自己を外部と固定するスキージ固定部側からペーストを押圧するペースト押圧部側に向かって１直線上に納まらない所定の軌跡を辿りながら上記除去部を移動させる駆動部と
を備えたことを特徴とする。
【０００８】
上記駆動部は、
所定の方向に上記除去部を移動させる第１のスライダと、
上記第１のスライダと共に上記所定の方向に移動し、上記第１のスライダにより移動させられる所定の方向と直交する方向に上記除去部を移動させる第２のスライダと
を有することを特徴とする。
【０００９】
上記駆動部は、さらに、
なだらかな線を形成するカム部と、
上記カム部と接し、上記なだらかな線に沿って上記カム部を移動させる受け部と、
上記カム部を上記受け部に接触させる押圧部と
を有することを特徴とする。
【００１０】
上記カム部は、上記第１のスライダと共に移動し、
上記第２のスライダは、上記カム部の移動に基づいて、上記所定の方向と直交する方向に移動することを特徴とする。
【００１１】
上記押圧部は、弾性力により上記カム部を移動させるばね材を有することを特徴とする。
【００１２】
上記受け部は、上記なだらかな線上を転動するローラを有することを特徴とする。
【００１３】
上記駆動部は、さらに、上記第１のスライダを移動させるシリンダを有することを特徴とする。
【００１４】
上記除去部は、外周面が上記ペーストに接触するワイヤを有することを特徴とする。
【００１５】
上記除去部は、さらに、上記スキージを挟むように上記カム部に固定され、上記ワイヤを保持するワイヤ保持部を有することを特徴とする。
【００１６】
上記除去部は、上記スキージと非接触に移動することを特徴とする。
【００１７】
上記スキージは、移動しながらスクリーン印刷をおこない、
上記ペースト除去装置は、上記スキージと共に保持され、上記スキージと共に移動することを特徴とする。
【００１８】
この発明に係るスクリーン印刷機は、ペーストを押圧するペースト押圧部と自己を外部と固定するスキージ固定部とを有するスキージとを用いてスクリーン印刷をおこなうスクリーン印刷機であって、
上記スキージが有する上記自己を外部と固定するスキージ固定部を固定する装置固定部と、
上記装置固定部に固定されたスキージに有する上記スクリーン印刷の際に付着したペーストを除去する除去部と、
上記スキージが有する上記自己を外部と固定するスキージ固定部側からペーストを押圧するペースト押圧部側に向かって１直線上に納まらない所定の軌跡を辿りながら上記除去部を移動させる駆動部と
を備えたことを特徴とする。
【００１９】
【発明の実施の形態】
実施の形態１．
図１は、実施の形態１におけるスキージを示す図である。
図１において、１０は、スキージ、２０１は、ペースト押圧部、２０２は、スキージ固定部、２０３は、押圧線である。スキージ１０は、ペースト押圧部２０１、スキージ固定部２０２を有する。スキージ１０は、ペースト押圧部２０１においてペースト５を押圧する。また、スキージ１０は、スキージ固定部２０２において、外部と固定される。
図２は、実施の形態１におけるスクリーン印刷終了後の状態を示す図である。図２において、１は、スクリーン版、２は、版枠、３は、スクリーン製版、４は、ワーク、５は、ペースト（インク）、１００は、スキージクランプユニット（装置固定部の一例である。）、１０１は、スキージクランプホルダ（装置固定部の一例である。）である。スクリーン製版３は、スクリーン版１と版枠２とを備えている。スクリーン印刷が終了すると、スクリーン印刷機は、スキージ１０を上昇させ、スクリーン版１から離す。この際、スキージ１０におけるペースト押圧部２０１の表面には、ペースト５が付着している。
図２において、ペースト５は、ペースト押圧部２０１における押圧線２０３を挟む両面に付着しているように示しているが、一方の面、例えば、押圧線２０３からスキージ固定部２０２に向かって延びる面にのみ付着することも考えられる。
図３は、実施の形態１における構成を示す図である。
図３において、２１は、スライダ（第１のスライダの一例である。）、２２は、レール、２３は、スライダ（第２のスライダの一例である。）、２４は、レール、２５は、スライダブラケット、２６は、スライダブラケット、２７は、レールブラケット、３０は、受け部、３１は、カムフォロア（ローラの一例である。）、３２は、調整ブラケット、３３は、ボルト、４０は、ばね材（押圧部の一例である。）、５０は、板カム（カム部の一例である。）、５１は、ボルト、５２は、ボルト、６０は、除去部、６１は、案内板（ワイヤ保持部の一例である。）、６２は、ワイヤ、７０は、シリンダ、７１は、ボルト、７２は、シリンダ軸である。その他の構成は、図１，２と同様である。
図示していないが、ペースト除去装置は、除去部６０と図示していない駆動部とを備えている。
除去部６０は、案内板６１、ワイヤ６２を有している。
駆動部は、スライダ２１，２３、レール２２，２４、スライダブラケット２５，２６、レールブラケット２７、受け部３０、ばね材４０、板カム５０、シリンダ７０、シリンダ軸７２、ボルト３３，５１，５２，７１を有している。
受け部３０は、カムフォロア３１、調整ブラケット３２、ボルト３３を有している。
図示していないが、スキージ１０の一方、すなわち、自己を外部と固定するスキージ固定部は、ペースト除去装置と共にスキージクランプユニット１００に固定されている。スキージ１０は、固定されていない他方、すなわち、ペーストを押圧するペースト押圧部で、スクリーン版１を押圧し、ペースト５を押圧しながらスクリーン印刷をおこなう。スクリーン印刷自体は、従来と同様である。
スキージクランプユニット１００には、レールブラケット２７と図示されていないがシリンダ７０が固定されている。レールブラケット２７には、調整ブラケット３２が図３において左右に調整自在にボルト３３により固定されている。また、レールブラケット２７には、レール２２が図３において上下にレールを延ばすように固定されている。レール２２には、スライダ２１がレール２２上を摺動自在に配置されている。スライダ２１には、スライダブラケット２５が固定されている。スライダブラケット２５には、レール２４が図３において左右にレールを延ばすように固定されている。スライダブラケット２５には、シリンダ軸７２がボルト７１を用いて固定されている。また、スライダブラケット２５には、ばね材４０の一方の端が保持されている。レール２４には、スライダ２３がレール２４上を摺動自在に配置されている。スライダ２３には、スライダブラケット２６が固定されている。スライダブラケット２６には、ばね材４０の他方の端が保持されている。また、スライダブラケット２６には、板カム５０がボルト５２を用いて図３において板面を正面に向けて固定されている。ばね材４０は、弾性力によりスライダ２３を引っ張り、スライダ２３を移動させ、カムフォロア３１に板カム５０を接触させる。板カム５０には、案内板６１がボルト５１を用いて固定されている。案内板６１には、図３において後ろ側（奥側）に延びるワイヤ６２の一方の端が固定されている。調整ブラケット３２には、カムフォロア３１が回転自在に保持されている。
【００２０】
図４は、図３を側面から見た図である。
図４において、各構成は図３と同様である。
図４において、スクリーン印刷時には、スキージ１０が正面に向かって移動する。スキージ１０は、印刷するワーク４、スクリーン版１に応じて所定の幅を有している。本実施の形態１におけるペースト除去装置は、スキージ１０を挟むように配置され、ワイヤ６２を除く各構成が両側に配置されている。
【００２１】
図５は、図４の拡大図である。
図５において、６３は、ナットである。その他の構成は、図３と同様である。案内板６１には、ワイヤ６２のおねじ状に形成された一方の端がナット６３を用いて固定されている。
【００２２】
図６は、実施の形態１における構成を示す図である。
図６において、１１は、シリンダである。その他の構成は、図３と同様である。
図６において、スキージ１０は、スキージクランプユニット１００にシリンダ１１の押圧力により保持されている。
図３〜図５においては、便宜上、スキージ１０等をまっすぐに立てた状態で記載しているが、スクリーン印刷機に搭載する場合には、図６に示すように、スキージ１０を斜めに配置するようにスキージクランプユニット１００とスキージ１０とペースト除去装置とは搭載される。これは、スクリーン印刷時にスキージ１０を斜めに配置してスクリーン版１上を移動させているからである。
【００２３】
図７は、実施の形態１における構成を示す図である。
図７において、１は、スクリーン版である。その他の構成は、図３と同様である。
図７においては、図６と同様、スキージ１０を斜めに配置するようにスキージクランプユニット１００とスキージ１０とペースト除去装置とを示している。例えば、スクリーン印刷機は、スキージ１０とスクリーン版１を６０°の角度になるように各構成を搭載する。
図７においては、スクリーン印刷時とスクリーン印刷後にスキージ１０等を保持するスキージクランプユニット１００を上昇させた時とにおけるスキージ１０と案内板６１とワイヤ６２との位置を示している。その他のペースト除去装置の各構成も同様にスキージクランプユニット１００の上昇により上昇するがここでは省略している。
【００２４】
図８は、実施の形態１におけるペースト除去装置の動作を示す図である。
図８において、各構成は、図３と同様である。また、図８においては、図３〜図５と同様、便宜上、スキージをまっすぐに立てた位置関係でその他の構成も記載している。
シリンダ７０は、例えば、圧縮エアーにより圧縮される。圧縮によりシリンダ軸がスライダブラケット２５を押す。押されたスライダブラケット２５は、スライダ２１をレール２２に沿って移動させる。一方、スライダブラケット２５にスライダ２３、スライダブラケット２６を介して保持された板カム５０は、カムフォロア３１と接触するなだらかな線を有し、スライダブラケット２５の移動に伴い上記なだらかな線上でカムフォロア３１との接触を保ちながら移動する。板カム５０に移動により、スライダ２３とスライダブラケット２６とは、レール２２の延びる方向と直行する方向に伸びるレール２４に沿って移動する。案内板６１とワイヤ６２とは、板カム５０の移動と共に同様の軌跡を辿りながら移動する。板カム５０のカムフォロア３１と接触するなだらかな線は、ワイヤ６２がスキージ１０の表面近傍を通過する軌跡に応じた形に形成される。ここでは、スキージが有する外部と固定するスキージ固定部側からペーストを押圧するペースト押圧部側に向う方向と平行な方向の第１の直線となだらかなＲ部とＲ部に続く上記第１の直線と鈍角な第２の直線とを有するように形成されている。
調整ブラケット３２は、ワイヤ６２がスキージ１０の表面近傍を通過する際に、スキージ１０と非接触を保つように位置を調整する。位置の調整は、案内板６１、板カム５０等その他の構成により行ってもかまわない。非接触を保つことで、スキージ１０がワイヤ６２により傷つくことを防止することができる。ワイヤ６２がスキージ１０の表面近傍を通過する際に、ワイヤ６２の外周面によりスキージ１０に付着したペースト５を除去していく。
本実施の形態１では、ワイヤ６２がスキージ１０の表面近傍を通過する際に、スキージ１０と非接触を保つように位置を調整しているが、接触させてもかまわない。これにより、非接触を保つより多くのペースト５をスキージ１０から取り除くことができる。
【００２５】
以上のように、本実施の形態１におけるペースト除去装置は、ペーストを押圧するペースト押圧部２０１と自己を外部と固定するスキージ固定部２０２とを有するスキージ１０に付着したペースト５を除去するペースト除去装置であって、
スキージ１０に付着したペースト５を除去する除去部６０と、
上記スキージ１０が有する上記自己を外部と固定するスキージ固定部２０２側からペーストを押圧するペースト押圧部２０１側に向かって１直線上に納まらない所定の軌跡を辿りながら上記除去部６０を移動させる駆動部と
を備えている。
【００２６】
また、上記駆動部は、
所定の方向に上記除去部６０を移動させるスライダ２１と、
上記スライダ２１と共に上記所定の方向に移動し、上記スライダ２１により移動させられる所定の方向と直交する方向に上記除去部６０を移動させるスライダ２３と
を有する。
【００２７】
また、上記駆動部は、さらに、なだらかな線を形成する板カム５０と、
上記板カム５０と接し、上記なだらかな線に沿って上記板カム５０を移動させる受け部３０と、
上記板カム５０を上記受け部３０に接触させる押圧部と
を有する。
【００２８】
また、上記板カム５０は、上記スライダ２１と共に移動し、
上記スライダ２３は、上記板カム５０の移動に基づいて、上記所定の方向と直交する方向に移動する。
【００２９】
また、上記押圧部は、弾性力により上記板カム５０を移動させるばね材４０を有する。
【００３０】
また、上記受け部３０は、上記なだらかな線上を転動するローラであるカムフォロア３１を有する。
【００３１】
また、上記駆動部は、さらに、上記スライダ２１を移動させるシリンダ７０を有する。
【００３２】
また、上記除去部６０は、外周面が上記ペーストに接触するワイヤ６２を有する。
【００３３】
また、上記除去部６０は、さらに、上記スキージ１０を挟むように上記板カム５０に固定され、上記ワイヤ６２を保持する案内板６１を有する。
【００３４】
また、上記除去部６０は、上記スキージ１０と非接触に移動する。
【００３５】
また、上記スキージ１０は、移動しながらスクリーン印刷をおこない、
上記ペースト除去装置は、上記スキージ１０と共に保持され、上記スキージ１０と共に移動する。
【００３６】
以上のように、本実施の形態１におけるスクリーン印刷機は、
ペースト５を押圧するペースト押圧部２０１と自己を外部と固定するスキージ固定部２０２とを有するスキージ１０を用いてスクリーン印刷をおこなうスクリーン印刷機であって、
上記スキージ１０が有する自己を外部と固定するスキージ固定部を固定するスキージクランプユニット１００と、
上記スキージクランプユニット１００に固定されたスキージ１０に有する上記スクリーン印刷の際に付着したペースト５を除去する除去部６０と、
上記スキージ１０が有する自己を外部と固定するスキージ固定部２０２側からペースト５を押圧するペースト押圧部２０１側に向かって１直線上に納まらない所定の軌跡を辿りながら上記除去部６０を移動させる駆動部と
を備えている。
【００３７】
【発明の効果】
本発明によれば、スキージ１０に付着したペースト５を除去することができる。
【００３８】
本発明によれば、自動操作によりスキージ１０に付着したペースト５を除去し、時間と労力とを軽減することができる。
【００３９】
本発明によれば、コンパクトなペースト除去装置を提供することができる。
【図面の簡単な説明】
【図１】  実施の形態１におけるスキージを示す図である。
【図２】  実施の形態１におけるスクリーン印刷終了後の状態を示す図である。
【図３】  実施の形態１における構成を示す図である。
【図４】  図３を側面から見た図である。
【図５】  図４の拡大図である。
【図６】  実施の形態１における構成を示す図である。
【図７】  実施の形態１における構成を示す図である。
【図８】  実施の形態１におけるペースト除去装置の動作を示す図である。
【図９】  従来のスクリーン印刷状態を示す図である。
【図１０】  従来のスクリーン印刷終了後の状態を示す図である。
【符号の説明】
１  スクリーン版、２  版枠、３  スクリーン製版、４  ワーク、５  ペースト、６  テーブル、１０  スキージ、１１  シリンダ、２１  スライダ、２２  レール、２３  スライダ、２４  レール、２５  スライダブラケット、２６  スライダブラケット、２７  レールブラケット、３０  受け部、３１  カムフォロア、３２  調整ブラケット、３３  ボルト、４０  ばね材、５０  板カム、５１ボルト、５２  ボルト、６０  除去部、６１  案内板、６２  ワイヤ、６３  ナット、７０  シリンダ、７１  ボルト、７２  シリンダ軸、１００  スキージクランプユニット。
【図１】
0003929350.tif 000002
【図２】
0003929350.tif 000003
【図３】
0003929350.tif 000004
【図４】
0003929350.tif 000005
【図５】
0003929350.tif 000006
【図６】
0003929350.tif 000007
【図７】
0003929350.tif 000008
【図８】
0003929350.tif 000009
【図９】
0003929350.tif 000010
【図１０】
0003929350.tif 000011